(57)【要約】【課題】狭い歩道などにおける散歩の最中であっても、飼い主が主導権を持つことによる躾が可能である飼い犬リード装置を提供する。【解決手段】犬３の首輪５に取り付けるリード７の中ほどを筒体９に通す。この筒体９は、剛性を有し、散歩する犬３の首輪５と傍に立つ飼い主の手元との間の長さを有する。また、筒体９は、伸縮するために複数の径の異なる筒部材１１が同心に配置されてなり、各筒部材１１の後端には、伸びたときの抜け防止機構１３と、戻り防止機構１４とが備えられている。散歩中に、飼い主は犬３の傍らに立ち、筒体９と、リード７の後端を手に持ち、この筒体９の先端を動かすことで、犬３の位置を飼い主よりも後ろに戻すことができる。また、常に、細かな範囲で犬３の動きを制御できる。よって、飼い主が主導権を持つことを犬３に分からせることができ、したがって、犬３に、飼い主が上位であることを分からせ、躾を行うことができる。【選択図】図1
0003131353.tif 000002
【実用新案登録請求の範囲】
【請求項１】
犬の首輪に取り付けるリードと、このリードの中ほどを通し、剛性を有し、散歩する前記犬の首輪と傍に立つ飼い主の手元との間の長さを有する筒体と、を備えたことを特徴とする飼い主に主導権を持たせる飼い犬リード装置。
【請求項２】
前記飼い犬リード装置に用いられ、前記リードを通すことができ、剛性を有し、前記散歩する犬の首輪と傍に立つ飼い主の手元との間の長さを有することを特徴とする筒体。
【請求項３】
前記筒体は、伸縮するために複数の径の異なる筒部材が同心に配置されてなり、先側の筒部材の後端には、伸びたときの抜け防止機構と、戻り防止機構とが備えられていることを特徴とする請求項１に記載の飼い主に主導権を持たせる飼い犬リード装置、又は請求項２に記載の筒体。
【考案の詳細な説明】
【技術分野】
【０００１】
この考案は、散歩する犬などに取り付けて、飼い主に主導権を持たせるための飼い犬リード装置及びこの装置に用いられる筒体に関する。
【背景技術】
【０００２】
飼い犬と飼い主との良好な関係を築くには、相互の信頼関係を必要とし、さらには飼い主が飼い犬に対して、適切な主導権を持たなければならない。
すなわち、犬は、本来、群れをなして狩をし生きる動物であり、そのため、群れの中での上下関係が厳しく要求される。上下関係がはっきりしないと狩のときの統率が取れず、ひいては群れそのものの生存に悪影響を与えるからである。よって、飼い犬も、本能的に飼い主との間の上下関係を大切にする。
【０００３】
飼い犬が、誤って飼い主よりも上位であると勘違いすると、飼い主の言うことを聞かない犬になってしまう。例えば、子犬のうちにかわいさ余り、飼い主が子犬を自分の体の上に乗せて遊ぶ（マウンティング）などを行うと、この勘違いを誘発する。このような勘違いの状況は、飼い主、飼い犬ともに不幸である。
【０００４】
このような勘違いを起こした犬は、飼い主との散歩の最中にも、飼い主の言うことを聞かず、首輪に取り付けられたリードを介して飼い主をぐいぐい引っ張って前を歩いてしまう。
【０００５】
そして、このような散歩のときこそ、飼い主が主導権を取り戻すよい機会でもある。犬が飼い主を引っ張って前を歩いているときに、飼い主が突然、歩く方向を変える。このとき、瞬間的に、飼い主は前に出ることになり、飼い主が行き先を変える決定権を持つことを、犬に分からせることができる。よって、頻繁に、歩く方向を変えることで、犬の勘違いを矯正し、よって、躾を行うことができる。
【０００６】
なお、散歩中に犬を躾けるために、特許文献１には、散歩用の紐を二つ折りの状態で用い、長さを調節できるようにしたものが記載される。また、特許文献２には、犬の散歩用の紐に筒を通し、犬の脚に絡まないようにする技術が記載される。
【特許文献１】特開2004-201660
【特許文献２】特開2004-180665
【考案の開示】
【考案が解決しようとする課題】
【０００７】
しかしながら、散歩のときに、飼い主が突然、歩く方向を変えことを、頻繁に行うことは事実上、困難である。頻繁に方向が変えられる広いグラウンドがあれば可能であるが、通常の散歩は、狭い歩道などで行われるので、不可能である。
また、特許文献１のように、散歩用の紐（リード）の長さを調節できるようにしても、飼い犬の動きを制御しやすくはできるが、それ以上のものではないので、躾の効果もそれほど期待できない。
なお、特許文献２の筒は、首輪のすぐそばに設けるものであり、短く、犬の躾には使えない。
【０００８】
この考案は、以上の問題点を解決するために、狭い歩道などにおける散歩の最中であっても飼い主が主導権を持つことによる躾が可能である、飼い犬リード装置及びこの装置に用いられる筒体を提供することを目的とする。
【課題を解決するための手段】
【０００９】
以上の課題を解決するために、第一考案は、犬の首輪に取り付けるリードと、このリードの中ほどを通し、剛性を有し、散歩する前記犬の首輪と傍に立つ飼い主の手元との間の長さを有する筒体と、を備えたことを特徴とする飼い主に主導権を持たせる飼い犬リード装置である。
【００１０】
第二考案は、前記飼い犬リード装置に用いられ、前記リードを通すことができ、剛性を有し、前記散歩する犬の首輪と傍に立つ飼い主の手元との間の長さを有することを特徴とする筒体である。
【００１１】
第三考案は、前記筒体は、伸縮するために複数の径の異なる筒部材が同心に配置されてなり、先側の筒部材の後端には、伸びたときの抜け防止機構と、戻り防止機構とが備えられていることを特徴とする請求項１に記載の飼い主に主導権を持たせる飼い犬リード装置、又は請求項２に記載の筒体である。
【考案の効果】
【００１２】
第一、第二、又は第三考案によれば、散歩中に、飼い主は犬の傍らに立ち、リードの中ほどを通した筒体と、リードの後端を手に持ち、この筒体の先端を動かすことで、犬の位置を飼い主よりも後ろに戻すことができる。また、常に、細かな範囲で犬の動きを制御できる。
【００１３】
よって、飼い主が犬の動きに対して決定権を持ち、飼い主が主導権を持つことを犬に分からせることができ、したがって、犬の勘違いを矯正し、飼い主が上位であることを分からせ、よって、躾を行うことができる。
【００１４】
第二、又は第三考案によれば、飼い主が既に所有するリードを、筒体に通して使用することで、飼い犬リード装置と同じ効果が得られる。
第三考案によれば、筒体が伸縮するので、飼い犬の動きをあまり制御する必要がないときには、筒体を短くできる。よって、狭い歩道などで、筒体が邪魔になりにくい。
【考案を実施するための最良の形態】
【００１５】
この考案の実施形態を、図１から図３に示す。
この実施形態に係る飼い主に主導権を持たせる飼い犬リード装置１は、犬３の首輪５に金具６を介して取り付けるリード７（一般には紐のことをいう）と、このリード７の中ほどを通す筒体９とからなる。
【００１６】
筒体９は、アルミ製あるいは硬質プラスチック製などで、剛性を有する。また、散歩する犬３の首輪５と、傍に立つ飼い主１０の手元との間の長さを有する。
さらに、筒体９は、伸縮するために複数の径の異なる筒部材１１が同心に配置されてなる。筒部材１１は、円筒である。
先側の筒部材１１ａの後端には、伸びたときの抜け防止機構１３と、戻り防止機構１４とが備えられている。
【００１７】
図３に示すように抜け防止機構１３は、先側の筒部材１１ａの後端に、後方へ向かって取り付けられた板バネ三角部１５で、縦断面が、後端で直角三角形状に屈曲する。すなわち、外側へ直角に屈曲した後に、後方内側へ斜めに屈曲し傾斜部１７を形成する。この直角三角形状の屈曲による傾斜部１７に対応して、後側の筒部材１１ｂの先端の内側には、直角三角形状の凹部１９が設けられ、この凹部１９の内面に傾斜面２１が形成される。
【００１８】
この抜け防止機構１３により、筒体９の先側の筒部材１１ａが伸びすぎるときは、板バネ三角部１５の直角屈曲部１６が、バネ力により凹部１９に滑り込み、係止し、抜け防止を果たす。筒体９を縮めるときは、板バネ三角部１５の傾斜部１７が、凹部１９の傾斜面２１を滑り、内側へ戻される。
【００１９】
戻り防止機構１４は、先側の筒部材１１ａの後部で、形成された孔２２から出没自在に設けられた板バネ突起２３である。すなわち、孔２２の内部に取り付けられた板バネ２５の先端に円筒状の突起２７が形成される。
通常は、バネ力により、突起２７は孔２２から突出しているが、筒体９が縮んでいるときなどは、後側の筒部材１１ｂの内面に押圧され、没している。筒体９が伸びたときは、突起２７は孔２２から突出する。この状態で、犬３が強い力で動いて、筒部材１１ａを戻し筒体９を縮ませる力が働いても、突起２７が後側の筒部材１１ｂの前縁に係止するので、戻り防止を果たす。
筒体９を縮めるときは、指で突起２７を押して孔２２内へ没することで、後側の筒部材１１ｂは突起２７の上を通過できる。
【００２０】
「実施形態の効果」
この実施形態によれば、散歩中に飼い主は、犬３の傍らに立つ。自らの膝の外側に接する位置に犬３を歩かせる。そして、リード７の中ほどを通した筒体９を両手に持つ。リード７の後端も一方の手に持つ。両手で筒体９の先端を後ろへ動かすことで、犬３の位置を飼い主よりも後ろに戻すことができる。また、犬３が動ける範囲は、筒体９の先端から伸びたリード７の長さの部分に限られるので、常に、細かな範囲で犬３の動きを制御できる。
【００２１】
よって、飼い犬３は常に細かく制御され、飼い主が犬３の動きに対して決定権を持ち、飼い主が主導権を持つことを犬３に分からせることができる。したがって、犬３の自分が上位であるとの勘違いを矯正し、飼い主が上位であることを分からせることができる。よって、躾を行うことができる。
【００２２】
また、筒体９が伸縮するので、飼い犬３の動きをあまり制御する必要がないときには、筒体９を短くできる。よって、狭い歩道などで、筒体９が邪魔になりにくい。また、縮めて短くすれば、リード７を通したり、外したりするのも容易になる。
【００２３】
「他の実施形態」
以上の実施形態では、抜け防止機構１３と、戻り防止機構１４とが、板バネ２５を用いて構成されるが、他の実施形態では、いろいろの他の機構が考えられる。また、釣竿のように、筒部材１１の径を後ろにいくにしたがって大きくすることで、後側の筒部材１１の先口に、先側の筒部材１１の外周が係止して抜け防止機構１３とすることができ、また、この係止が強い摩擦力で行われることにより戻り防止機構１４とすることもできる。
【００２４】
また、以上の実施形態では、筒体９は、伸縮するものであったが、他の実施形態では伸縮しないものであってもかまわない。
【図面の簡単な説明】
【００２５】
【図１】この考案の一実施形態に係る飼い犬リード装置を示す使用状態の全体図である。
【図２】図１の飼い犬リード装置を拡大して示す図である。
【図３】図２の飼い犬リード装置を構成する筒体が伸縮する際の抜け防止機構と、戻り防止機構を示すもので、（Ａ）は斜視図、（Ｂ）は縦断面図である。
【符号の説明】
【００２６】
１…犬リード装置、３…犬、５…首輪、７…リード、９…筒体、１１…筒部材、１３…防止機構、１５…板バネ三角部、１７…傾斜部、１９…凹部、２１…傾斜面、２３…板バネ突起、２５…板バネ、２７…突起。
【図１】
0003131353.tif 000003
【図２】
0003131353.tif 000004
【図３】
0003131353.tif 000005
【手続補正書】
【提出日】平成19年2月28日(2007.2.28)
【手続補正１】
【補正対象書類名】実用新案登録請求の範囲
【補正対象項目名】全文
【補正方法】変更
【補正の内容】
【実用新案登録請求の範囲】
【請求項１】
犬の首輪に取り付けるリードと、このリードの中ほどを通し、剛性を有し、散歩する前記犬の首輪と傍に立つ飼い主の手元との間の長さを有する筒体と、を備えたことを特徴とする飼い主に主導権を持たせる飼い犬リード装置。
【請求項２】
請求項１に記載の飼い主に主導権を持たせる飼い犬リード装置に用いられ、前記リードを通すことができ、剛性を有し、前記散歩する犬の首輪と傍に立つ飼い主の手元との間の長さを有することを特徴とする筒体。
【請求項３】
前記筒体は、伸縮するために複数の径の異なる筒部材が同心に配置されてなり、先側の筒部材の後端には、伸びたときの抜け防止機構と、戻り防止機構とが備えられていることを特徴とする請求項１に記載の飼い主に主導権を持たせる飼い犬リード装置、又は請求項２に記載の筒体。